(57)【要約】【課題】  ＣＭデータの表示ノルマを達成しつつ、可能な限りカラオケ楽曲の演奏回数を減らさずに、歌唱者の目障りにもならないようにＣＭデータを表示できるカラオケ装置を提供する。【解決手段】  カラオケ演奏時に歌詞字幕を伴ったカラオケ映像を主ディスプレイに出力する手段と、ディスプレイ付きカラオケ周辺機器と通信する手段と、スポット放送用のＣＭデータを記憶する手段と、ディスプレイ付きカラオケ周辺機器と通信して当該周辺機器にてＣＭ放映が可能か否かを判断する処理と、ＣＭ放映可能なカラオケ周辺機器と通信して記憶手段のＣＭデータを送信する処理と、カラオケ周辺機器にてＣＭ放映ができない場合に、カラオケ演奏の合間に記憶手段のＣＭデータを主ディスプレイに出力する処理とを行う制御手段とを備えている。【選択図】    図７
2005099424.tif 000002
【特許請求の範囲】
【請求項１】
カラオケ演奏手段と、主ディスプレイと、周辺通信手段と、記憶手段と、制御手段とを備えたカラオケ装置であって、
カラオケ演奏手段は、カラオケ演奏時に歌詞字幕を伴ったカラオケ映像を主ディスプレイに出力し、
周辺通信手段は、ディスプレイ付きカラオケ周辺機器と通信し、
記憶手段は、スポット放送用のＣＭデータを記憶し、
制御手段は、周辺機器状態判断処理と、周辺機器ＣＭ処理と、主ディスプレイＣＭ処理とを行い、
周辺機器状態判断処理は、ディスプレイ付きカラオケ周辺機器と通信し、当該周辺機器にてＣＭ放映が可能か否かを判断し、
周辺機器ＣＭ処理は、ＣＭ放映可能なカラオケ周辺機器と通信して記憶手段のＣＭデータを送信し、
主ディスプレイＣＭ処理は、カラオケ周辺機器にてＣＭ放映ができない場合に、カラオケ演奏の合間に記憶手段のＣＭデータを主ディスプレイに出力する
カラオケ装置。
【請求項２】
主ディスプレイＣＭ処理は、主ディスプレイ用ＣＭデータについては、カラオケ演奏の合間に記憶手段のＣＭデータを主ディスプレイに出力することを特徴とする請求項１に記載のカラオケ装置。
【請求項３】
周辺機器状態判断処理は、ディスプレイ付きカラオケ周辺機器が待機中であるとき、ＣＭ放映可能と判断することを特徴とする請求項１または２に記載のカラオケ装置。
【請求項４】
ディスプレイと、通信手段と、記憶手段と、制御手段とを備えたディスプレイ付きカラオケ周辺機器であって、
通信手段は、カラオケ装置と通信し、
記憶手段は、カラオケ装置から転送されてくるスポット放送用のＣＭデータを記憶し、
制御手段は、状態判断処理と、ＣＭ表示処理とを行い、
状態判断処理は、ディスプレイにてＣＭ放映が可能か否かを判断し、
ＣＭ表示処理は、状態判断処理によりＣＭ放映が可能であると判断されると、記憶手段のＣＭデータを適時にディスプレイに表示出力する
ことを特徴とするディスプレイ付きカラオケ周辺機器。
【請求項５】
状態判断処理は、電源の状態に基づいてディスプレイにてＣＭ放映が可能か否かを判断することを特徴とする請求項４に記載のディスプレイ付きカラオケ周辺機器。
【請求項６】
状態判断処理は、操作入力待機状態が所定時間継続するとＣＭ放映が可能であると判断することを特徴とする請求項４または５に記載のディスプレイ付きカラオケ周辺機器。
【請求項７】
制御手段は、状態判断処理によりＣＭ放映が可能であると判断されると、通信手段によりＣＭデータの転送要求をカラオケ装置に送付させるＣＭデータ転送要求処理を行うことを特徴とする請求項４〜６のいずれかに記載のディスプレイ付きカラオケ周辺機器。
【発明の詳細な説明】
【技術分野】
【０００１】
この発明は、新譜ＣＤの発売予告などのＣＭデータを表示するカラオケ装置とディスプレイ付きカラオケ周辺機器に関する。
【背景技術】
【０００２】
周知の通信カラオケシステムは、ホスト装置がカラオケ装置にカラオケ楽曲の伴奏音楽や歌詞画像の起源となるカラオケデータを通信回線を介して配信し、カラオケ装置は、配信されたカラオケデータを蓄積管理する。そして、利用者が指定した楽曲のカラオケデータを処理して伴奏音楽を音響出力するとともに、歌詞画像を生成してその画像を背景動画映像にスーパーインポーズ表示する。
【０００３】
また、カラオケ装置は自身が演奏した楽曲の履歴などの稼働履歴をとっており、ホスト装置との通信機会にこの稼働履歴をアップロードする。ホスト装置はこの稼働履歴を集約して例えば、カラオケ楽曲ごとの演奏回数をランキングにまとめたりする。
【０００４】
この通信カラオケシステムのインフラを利用して、ホスト装置がカラオケデータの他にＣＭデータ（新譜ＣＤの発売予告、コンサートの告知、ＣＤの売り上げランキング、カラオケ楽曲の演奏ランキングなど）をカラオケ装置に配信し、カラオケ装置はこのＣＭデータを例えば、楽曲演奏と楽曲演奏の合間（曲間）に歌詞表示用のディスプレイに表示する。また、以下の特許文献１には、楽曲演奏中にもＣＭデータを表示する通信カラオケシステムが開示されている。
【特許文献１】特開２００２−１１６７７４号公報
【発明の開示】
【発明が解決しようとする課題】
【０００５】
ＣＭデータの内容が企業広告など宣伝を目的としたものである場合、カラオケ事業者は、そのＣＭデータの表示行為に対して広告料を広告主から受け取っている場合が多い。その場合、ＣＭデータの表示時間やその表示時間帯など表示ノルマについての契約がカラオケ事業者と広告主とで交わされるのが一般的である。しかし、ＣＭデータを曲間に表示する場合、普通、演奏処理の待ち行列に予約楽曲がない状態、すなわち演奏予約されるのを待機している状態でない限り、１回の曲間にＣＭデータを長時間あるいは数多く表示することはできない。そのため、予約楽曲があってもＣＭデータを表示する時間を曲間に別途設け、必ずＣＭデータの表示ノルマを達成している。カラオケ装置を時間単位で使用している利用者にとっては、演奏できる楽曲数が減り、ＣＭデータの表示時間は無駄である。楽曲演奏中に歌詞画像とともに表示すれば、楽曲演奏の回数もこなしてＣＭデータの表示ノルマも達成することができる。しかし、ＣＭデータの内容が演奏楽曲の雰囲気にそぐわなかったり、目障りとなったりする場合が多く。利用者が気持ちよく歌唱することができない。
【課題を解決するための手段】
【０００６】
上記課題を解決するために本発明を創作した。本発明の目的は、ＣＭデータの表示ノルマを達成しつつ、可能な限りカラオケ楽曲の演奏回数を減らさずに、歌唱者の目障りにもならないようにＣＭデータを表示できるカラオケ装置を提供することにある。そして本発明の基本となるのは、次の事項（１）〜（８）によって特定される。  
（１）カラオケ演奏手段と、主ディスプレイと、周辺通信手段と、記憶手段と、制御手段とを備えたカラオケ装置である。  
（２）カラオケ演奏手段は、カラオケ演奏時に歌詞字幕を伴ったカラオケ映像を主ディスプレイに出力する。  
（３）周辺通信手段は、ディスプレイ付きカラオケ周辺機器と通信する。  
（４）記憶手段は、スポット放送用のＣＭデータを記憶する。  
（５）制御手段は、周辺機器状態判断処理と、周辺機器ＣＭ処理と、主ディスプレイＣＭ処理とを行う。  
（６）周辺機器状態判断処理は、ディスプレイ付きカラオケ周辺機器と通信し、当該周辺機器にてＣＭ放映が可能か否かを判断する。  
（７）周辺機器ＣＭ処理は、ＣＭ放映可能なカラオケ周辺機器と通信して記憶手段のＣＭデータを送信する。  
（８）主ディスプレイＣＭ処理は、カラオケ周辺機器にてＣＭ放映ができない場合に、カラオケ演奏の合間に記憶手段のＣＭデータを主ディスプレイに出力する。
【０００７】
またこの発明は、前記の基本発明に加えて、次の事項（11）（12）を適宜に選択的に採用することができる。  
（11）主ディスプレイＣＭ処理は、主ディスプレイ用ＣＭデータについては、カラオケ演奏の合間に記憶手段のＣＭデータを主ディスプレイに出力する。  
（12）周辺機器状態判断処理は、ディスプレイ付きカラオケ周辺機器が待機中であるとき、ＣＭ放映可能と判断する。
【０００８】
本発明は上記カラオケ装置がＣＭデータの転送対象とするディスプレイ付きカラオケ周辺機器にも及んでおり、ディスプレイと、通信手段と、記憶手段と、制御手段とを備えたディスプレイ付きカラオケ周辺機器であって、
通信手段は、カラオケ装置と通信し、
記憶手段は、カラオケ装置から転送されてくるスポット放送用のＣＭデータを記憶し、
制御手段は、状態判断処理と、ＣＭ表示処理とを行い、
状態判断処理は、ディスプレイにてＣＭ放映が可能か否かを判断し、
ＣＭ表示処理は、状態判断処理によりＣＭ放映が可能であると判断されると、記憶手段のＣＭデータを適時にディスプレイに表示出力する
ディスプレイ付きカラオケ周辺機器としている。
【０００９】
また、状態判断処理は、電源の状態に基づいてディスプレイにてＣＭ放映が可能か否かを判断してもよい。あるいは、状態判断処理は、操作入力待機状態が所定時間継続するとＣＭ放映が可能であると判断することとしてもよい。  
制御手段は、状態判断処理によりＣＭ放映が可能であると判断されると、通信手段によりＣＭデータの転送要求をカラオケ装置に送付させるＣＭデータ転送要求処理を行うディスプレイ付きカラオケ周辺機器とすることもできる。
【発明の効果】
【００１０】
本発明のカラオケ装置によれば、ＣＭデータの表示ノルマを達成しつつ、可能な限りカラオケ楽曲の演奏回数を減らさずに、歌唱者の目障りにもならないようにＣＭデータを表示することができる
【発明を実施するための最良の形態】
【００１１】
＝＝＝ネットワーク構成＝＝＝
図１は本発明の実施例におけるカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置１０やそれに付帯する機器が設置され、カラオケ装置１０はＶＰＮ７０を介してホスト装置９０と通信する。
【００１２】
カラオケ装置１０は、電子目次本と呼ばれる楽曲検索機能を備えた選曲予約装置３０を付帯し、電子目次本３０は赤外線信号によりカラオケ装置１０に演奏予約コマンドを送信する。また、この電子目次本３０は内蔵２次電池により動作し、その２次電池を充電するための充電架台５０を付帯している。この架台５０はＵＳＢなどの所定規格の通信インタフェースを備え、カラオケ装置１０が装備する同規格の通信インタフェースと相互に接続されている。そして、電子目次本３０がこの充電架台５０に装着されると、電子目次本３０とカラオケ装置１０とがこの充電架台５０を介して通信するように構成されている。なお、電子目次本３０とカラオケ装置１０との双方向通信については、ＩＥＥＥ８０１．１１ｘ（ｘはａ，ｂ，ｇなど）規格の無線ＬＡＮなどを用いてもよい。もちろん、無線ＬＡＮであれば演奏予約コマンドをＬＡＮ経由で操作対象となるカラオケ装置１０に送信することもできる。
【００１３】
＝＝＝カラオケ装置の基本的な構成と動作＝＝＝
図２は本実施例のカラオケ装置１０の機能ブロック構成である。また図３（Ａ）と（Ｂ）に電子目次本３０の外観と機能ブロック構成を示した。カラオケ装置１０は、周知の通信カラオケシステムの演奏端末とほぼ同様のハードウエア構成であり、中央制御部１１は、各周辺構成部を制御してカラオケ装置１０を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１４】
ホスト装置９０は、カラオケ装置１０に向けて新譜楽曲についてのカラオケデータ、台本データ、目次情報などを適時に配信したり、カラオケ装置１０にて随時収拾される稼働ログなどを集信したりする。中央制御部１１は、ネットワークインタフェース２３を介して店舗ＬＡＮ１１０およびＶＰＮ７０に接続し、ホスト装置９０と通信する。そして、ホスト装置９０から送付されたカラオケデータを受け取ってカラオケデータベースの内容を更新したり、カラオケ装置側にて収集される稼働ログなどの各種情報をホスト装置に送信したりする。
【００１５】
一方、電子目次本３０は、液晶ディスプレイ（ＬＣＤ）３１とタッチセンサ３２とを積層したタッチパネル３３を主体としたユーザインタフェースを備え、内蔵するフラッシュメモリ３５にはカラオケ装置１０に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００１６】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、電子目次本３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。図４〜図６に電子目次本３０における演奏予約操作時の画面遷移を示した。電子目次本３０を起動するとタッチパネル３３にはトップ画面（図４：１２０）が表示される。利用者はこの画面１２０から各種検索方式に応じたボタン１２１〜１２６のいずれかを指示して該当する検索機能を呼び出してクエリーを与える。そして最終的に１曲が特定されるとその楽曲についての詳細情報が記載された画面（図５：１３０）が表示される。この画面１３０中の「予約」ボタン１３１を指示すると特定した楽曲の演奏予約コマンドが送信され、その旨の確認画面（図６：１４０）が表示された後、トップ画面１２０に戻る。
【００１７】
カラオケ装置１０の操作制御部１３は、演奏予約コマンドのコードを受光部１５を介して受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１８】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１９】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００２０】
またカラオケ装置は、利用者が予約した楽曲を伴奏演奏する上述の演奏モードの他に、ＣＭデータを曲間に表示出力するＣＭモードを備えている。演奏モードとＣＭモードは、利用状況等に応じて自動的に切替わる。たとえば、カラオケ演奏の予約が存在すればカラオケ演奏モードを持続して予約楽曲を演奏するが、演奏予約が無くなるとＣＭモードに切替える。さらに本実施例のカラオケ装置１０は、電子目次本３０とのデータ通信状態に応じて、ＣＭデータをディスプレイ（主ディスプレイ）１８で表示したり電子目次本３０に転送してＬＣＤ３１にて表示させたりするディスプレイ切替機能を備えている。すなわち、電子目次本３０をＣＭデータを表示するディスプレイを備えたカラオケ周辺機器（以下、周辺ディスプレイ機器）として利用している。
【００２１】
＝＝＝ＣＭデータ＝＝＝
ホスト装置９０は、カラオケデータの他にＣＭデータを蓄積し、適時にカラオケ装置１０に配信する。中央制御部１１は、配信されたＣＭデータをハードディスク装置１２に蓄積してこれを管理する。ＣＭデータは、曲間に表示される静止画像や短編の動画像の生成起源となるデータファイルであり、これら画像に音声が付帯している場合もある。
【００２２】
本実施例では、例えば企業ＣＭなど表示ノルマが決まっているＣＭデータ（管理ＣＭデータ）が存在し、管理ＣＭデータについては確実に表示される必要があることから、その旨が識別できるようになっている。本実施例では、管理ＣＭデータには所定の文字列が含まれ、中央制御部１１は、この文字列の有無に応じて管理ＣＭデータとそれ以外のＣＭデータと識別している。
【００２３】
＝＝＝ＣＭデータ表示制御＝＝＝
カラオケ装置１０は、電子目次本３０との接続状態とＣＭデータの属性（管理ＣＭデータであるか否か）とに基づいてＣＭデータの表示ディスプレイを切り替える。中央制御部１１はハードディスク装置１２に記憶されている管理ＣＭデータについては、曲間にそのデータに基づくビットマップ画像をビデオＲＡＭ１６に展開して処理してディスプレイ１８に表示させる。このとき、演奏予約待機状態あるいは楽曲演奏を所定回数続けた場合に必ず表示するようにして表示ノルマを達成するようにしている。
【００２４】
一方、管理ＣＭデータ以外のＣＭデータ（一般ＣＭデータ）については、電子目次本３０が二次電池４３で作動し、動画像の表示処理にはある程度電力を要することから、充電架台５０に装着されていて十分に電力が供給されていることを条件としてＬＣＤ３１にＣＭデータを表示することとしている。具体的には、中央制御部１１は、通信インタフェース２４を介して充電架台５０に電子目次本３０が装着されたことを認知すると、一般ＣＭデータを充電架台５０を介して電子目次本３０に転送する。なお、ＣＭデータの転送手順については、カラオケ装置１０側が電子目次本３０の充電架台５０ヘの装着状態を監視し、装着されたことを認知した段階でＣＭデータを電子目次本３０側へ転送してもよいし、電子目次本３０自身が充電架台５０に装着されたことを認知すると、その旨をカラオケ装置１０側へ通知し、カラオケ装置１０はその通知を受け取るとＣＭデータを電子目次本３０に転送するようにしてもよい。参考までに、カラオケ装置１０におけるＣＭデータの転送と表示についての処理の流れを図７に示した。
【００２５】
電子目次本３０は、実質的に選曲入力作業中以外は待機中となるので、ＣＭデータの表示機会が増し、ＣＭデータが利用者によって注意深く閲覧される可能性が高くなる。従って宣伝効果も上がる。なお、電子目次本３０にて充電架台５０への装着を促すメッセージを逐次表示するようにすれば、架台に５０に装着されている時間が相対的に増え、ＣＭデータの表示機会がさらに増える。
【００２６】
＝＝＝ＣＭデータの表示＝＝＝
電子目次本３０のリモコン制御部３４は、転送されてきた一般ＣＭデータをフラッシュメモリ３５に格納し、そのＣＭデータを適時にＬＣＤ３１に表示する。本実施例では、電子目次本３０が充電架台５０に装着されており、しかも、選曲操作などの利用者入力を受け付けていない状態が所定時間持続するとフラッシュメモリ３５内の適宜なＣＭデータを取り出してＬＣＤ３１に表示する。すなわち、ＣＭデータを「スクリーンセーバー」として表示する。ＣＭデータを表示している状態で何らかの利用者入力を受けつけたり、電子目次本３０自体が充電架台５０から外されたりするとＣＭデータの表示を中断する。もちろん、ＣＭデータを所定時間表示したり動画のＣＭデータであれば一通り表示したりした上で選曲入力などを受けつける画面へ遷移させてもよい。また、ＣＭデータの表示条件としては充電架台５０に装着されているか否かに係わらず表示してもよい。あるいは、二次電池４３の残り容量に応じてＣＭデータの表示可否を決定してもよい。
【００２７】
＝＝＝周辺機器に応じたＣＭデータ表示制御＝＝＝
カラオケ店舗あるいは客室によっては、ＣＭデータを表示できる電子目次本３０などの周辺機器がカラオケ装置１０に付帯していない場合もあり得る。あるいは、充電架台５０に長時間装着されない状況が続いて一般ＣＭデータの転送機会がない場合もあり得る。このような場合、電子目次本３０が付帯していることを前提とした上記のＣＭデータ表示制御方式では、一般ＣＭデータを表示する機会がなくなる。そのため、本実施例のカラオケ装置１０は、周辺機器の接続状況に応じて一般ＣＭデータも主ディスプレイ１８で表示する機能を備えている。
【００２８】
中央制御部１１が、例えば、通信インタフェース２４に何ら周辺機器が接続されていないことを認知したり、あるいは、充電架台５０が接続されていたとしても、更新されたＣＭデータの配信をホスト装置９０から受けてから所定時間以上経過したりすると、一般ＣＭデータについても管理ＣＭデータと同様に曲間に主ディスプレイ１８に表示するようにする。なお、ＣＭデータに管理ＣＭデータと一般ＣＤデータの区別がない場合にも、このような周辺機器の接続状態に応じた表示制御が採用できる。
【００２９】
＝＝＝周辺ディスプレイ機器の構成＝＝＝
周辺ディスプレイ機器は、電子目次本に限らない。ＣＭデータを表示するためだけの周辺機器が別途用意されていてもよい。また、周辺ディスプレイ機器は、受け取ったＣＭデータファイルを復号して表示する構成とせず、映像信号そのものを入力して表示する構成であってもよい。すなわち、周辺機器をＣＲＴなどの汎用のディスプレイとし、カラオケ装置を歌詞画像とＣＭデータの復号映像信号とを個別に出力するように構成しておく。周辺機器にはその復号映像信号を入力すればよい。周辺機器の接続状態についてはその状態を検出するためのデータ通信インタフェースをカラオケ装置と周辺機器に実装すればよい。例えば、カラオケ装置にＶＥＳＡによるＤＤＣ規格に準拠したビデオインタフェースを実装し、カラオケ装置に周辺装置としてコンピュータ用ディスプレイをそのインタフェース用のケーブルで接続する。そうすることで、ディスプレイは、カラオケ装置から出力されるアナログＲＧＢ映像信号を入力して表示出力するとともに、カラオケ装置はディスプレイが接続されるとそれを認知することができる。
【００３０】
＝＝＝ＣＭデータの更新＝＝＝
ＣＭデータは常に最新のものを表示する必要がある。カラオケ装置はホスト装置との通信機会に最新のＣＭデータが配信されハードディスク装置に記憶される。また、カラオケ装置は、電子目次本との通信機会に電子目次本にて管理されているＣＭデータと自身のＣＭデータとを比較し、電子目次本のＣＭデータが古ければ新規のＣＭデータを転送してＣＭデータを最新のものに更新させる。なお、ＣＭデータの新旧の比較については、例えば、更新対象となるＣＭデータのファイル名を統一しておき、ファイルの作成日時などに基づいて行えばよい。
【図面の簡単な説明】
【００３１】
【図１】本発明の実施例におけるカラオケ装置を含むネットワーク構成図である。
【図２】上記カラオケ装置の機能ブロック図である。
【図３】上記カラオケ装置に付属する電子目次本の外観図（Ａ）と機能ブロック図（Ｂ）である。
【図４】上記電子目次本に表示されるトップ画面の概略図である。
【図５】上記電子目次本に表示される詳細情報画面の概略図である。
【図６】上記電子目次本に表示される予約確認画面の概略図である。
【図７】上記カラオケ装置におけるＣＭデータの転送と表示に係わる処理の流れ図である。
【符号の説明】
【００３２】
１    カラオケ装置
１１  中央制御部
１２  ハードディスク装置
１８  ディスプレイ
３０  電子目次本
３１  液晶ディスプレイ
３３  タッチパネル 
【図１】
2005099424.tif 000003
【図２】
2005099424.tif 000004
【図３】
2005099424.tif 000005
【図４】
2005099424.tif 000006
【図５】
2005099424.tif 000007
【図６】
2005099424.tif 000008
【図７】
2005099424.tif 000009